(57)【要約】【課題】ステータコアを構成する電磁鋼板の積層枚数の変化に容易に対応することができるインシュレータの取付け構造を提供する。【解決手段】インシュレータ１０は、ステータコア１の一側の端部からティース３に嵌装される第一インシュレータ１１と、ステータコア１の他側の端部からティース３に嵌装される第二インシュレータとを有し、第一および第二の各インシュレータ１１・１２は、溝部４に嵌合可能な爪部１１ｂ・１２ｂを有し、各インシュレータ１１・１２をティース３に嵌装させるのに際し、爪部１１ｂ・１２ｂを溝部４に嵌合させるとともに、爪部１１ｂ・１２ｂが突起部４ａを乗り越える位置まで各インシュレータ１１・１２をティース３に差し込んで、ティース３から各インシュレータ１１・１２を抜き取る方向に対して、突起部４ａで爪部１１ｂ・１２ｂを係止する。【選択図】図４
2015136241.tif 000002
【特許請求の範囲】
【請求項１】
複数の電磁鋼板を積層して構成され、平面視において略円環状のヨークと、該ヨークから径方向内側に向けて突出するティースとを備えるステータコアに対する、少なくとも前記ティースの周囲に配置されるインシュレータの取付け構造であって、
前記ティースは、前記ステータコアの軸心に平行な二つの側面に、前記ステータコアの軸心方向に平行に形成される溝部と、前記溝部に形成される突起部とを有し、
前記インシュレータは、前記ステータコアの一側の端部から前記ティースに嵌装される第一の部材と、前記ステータコアの他側の端部から前記ティースに嵌装される第二の部材とを有し、
前記第一および第二の部材は、前記溝部に嵌合可能な爪部を有し、
前記第一および第二の部材を前記ティースに嵌装させるのに際し、前記爪部を前記溝部に嵌合させるとともに、前記爪部が前記突起部を乗り越える位置まで前記第一および第二の部材を前記ティースに差し込んで、前記ティースから前記第一および第二の部材を抜き取る方向に対して、前記突起部で前記爪部を係止する、
ことを特徴とするインシュレータの取付け構造。
【発明の詳細な説明】
【技術分野】
【０００１】
本発明は、インシュレータの取付け構造の技術に関し、より詳しくは、複数の電磁鋼板を積層して構成され、略円環状のヨークと、該ヨークから径方向内側に突出するティースとを備えるステータコアに対する、前記ティースの周囲に配置されるインシュレータの取付け構造に関する。
【背景技術】
【０００２】
従来、モータを構成するステータにおいては、複数の電磁鋼板を積層して構成され、略円環状のヨークと、該ヨークから径方向内側に突出するティースとを備えるステータコアを備えるものが知られており、また、そのような構成のステータコアでは、ティースの周囲にインシュレータを配置するのが一般的である。
そして、ティースに対するインシュレータの取付け構造としては、例えば、以下に示す特許文献１に開示された技術が知られている。
【０００３】
特許文献１に示されている従来技術において、インシュレータは、少なくとも２つの分割体がティースの外周にそれぞれ嵌め込まれたものであり、溶着接合部を介して分割体同士の接合が図られている。
そして、このようなインシュレータの取付け構造によって、一体成形されたインシュレータと同程度の放熱性を有し、しかも、一体成形されたインシュレータとは異なり、応力解放に伴って積層した電磁鋼板からインシュレータに作用し得る外力により、インシュレータに割れ等の損傷が生じるようなことを、なくすることができる。
【先行技術文献】
【特許文献】
【０００４】
【特許文献１】特開２０１１−１９２９６号公報
【発明の概要】
【発明が解決しようとする課題】
【０００５】
しかしながら、特許文献１に示された従来のインシュレータの取付け構造では、ステータコアを構成する電磁鋼板の積層枚数が増減した場合に、２つの分割体で構成されるインシュレータを使用することができなかった。即ち、特許文献１に示された従来技術では、ステータコアを構成する電磁鋼板の枚数に合わせて、それに対応したインシュレータを準備する必要があった。
【０００６】
本発明は、斯かる現状の課題を鑑みてなされたものであり、ステータコアを構成する電磁鋼板の積層枚数の変化に容易に対応することができるインシュレータの取付け構造を提供することを目的としている。
【課題を解決するための手段】
【０００７】
本発明の解決しようとする課題は以上の如くであり、次にこの課題を解決するための手段を説明する。
【０００８】
即ち、請求項１においては、複数の電磁鋼板を積層して構成され、平面視において略円環状のヨークと、該ヨークから径方向内側に向けて突出するティースとを備えるステータコアに対する、少なくとも前記ティースの周囲に配置されるインシュレータの取付け構造であって、前記ティースは、前記ステータコアの軸心に平行な二つの側面に、前記ステータコアの軸心方向に平行に形成される溝部と、前記溝部に形成される突起部とを有し、前記インシュレータは、前記ステータコアの一側の端部から前記ティースに嵌装される第一の部材と、前記ステータコアの他側の端部から前記ティースに嵌装される第二の部材とを有し、前記第一および第二の部材は、前記溝部に嵌合可能な爪部を有し、前記第一および第二の部材を前記ティースに嵌装させるのに際し、前記爪部を前記溝部に嵌合させるとともに、前記爪部が前記突起部を乗り越える位置まで前記第一および第二の部材を前記ティースに差し込んで、前記ティースから前記第一および第二の部材を抜き取る方向に対して、前記突起部で前記爪部を係止するものである。
【発明の効果】
【０００９】
本発明の効果として、以下に示すような効果を奏する。
【００１０】
請求項１においては、ステータコアを構成する電磁鋼板の積層枚数が変化する場合であっても、１種類のインシュレータで対応することができる。
【図面の簡単な説明】
【００１１】
【図１】本発明の一実施形態に係るインシュレータの取付け構造を有するステータコアを示す部分斜視模式図。
【図２】本発明の一実施形態に係るインシュレータの取付け構造を有するインシュレータ（第一インシュレータ）を示す斜視模式図。
【図３】本発明の一実施形態に係るインシュレータの取付け構造を有するインシュレータ（第二インシュレータ）を示す斜視模式図。
【図４】本発明の一実施形態に係る取付け構造を有するインシュレータの取付け状況を示す斜視模式図。
【図５】本発明の一実施形態に係る取付け構造を有するインシュレータの取付け状況（取付け後の状態）を示す斜視模式図。
【発明を実施するための形態】
【００１２】
次に、発明の実施の形態を説明する。
まず始めに、本発明の一実施形態に係るインシュレータの取付け構造を有するステータコアについて、図１を用いて説明をする。
図１に示す如く、本発明の一実施形態に係るインシュレータの取付け構造を有するステータコア１は、複数の電磁鋼板を積層して構成されるものであり、ヨーク２、ティース３を備えている。
【００１３】
ヨーク２は、平面視（ステータコア１の軸心方向視）におけるステータコア１の外周部において略円環状の形状を有する部位であり、該ヨーク２の内周面から、径方向内側に向けて、複数のティース３・３・・・が突出させる構成としている。
ティース３は、ステータコア１の軸心方向における一端部３ａと他端部３ｂを備えており、ステータコア１の軸心方向に平行な各側面３ｃ・３ｄを備えている。
そして、ステータコア１に対しては、ティース３の一端部３ａ、他端部３ｂ、および各側面３ｃ・３ｄの周囲に、インシュレータを配置する構成としている。
【００１４】
ティース３周囲の各面のうち、ステータコア１の軸心方向に平行で互いに対向する各側面３ｃ・３ｄには、溝部４・４を形成している。
溝部４は、ステータコア１の軸心方向に対して平行に形成されている。尚、各側面３ｃ・３ｄにおける径方向における溝部４・４の形成位置は適宜設定をすることができる。
また、本実施形態では、Ｖ字溝状の溝部４を形成する場合を例示しているが、溝部４の断面形状はこれに限定されず、矩形状やＵ字状の溝形状であってもよい。
【００１５】
また溝部４の途中には、突起部４ａが形成されている。突起部４ａは、後述するインシュレータの爪部を係止するための部位であり、本実施形態では、一つの溝部４において、２箇所の突起部４ａ・４ａが形成されている。
突起部４ａは、例えば、ステータコア１を構成する電磁鋼板のうち、溝部４が形成されていない電磁鋼板を積層方向における所定の位置に挟み込むことで、容易に形成することができる。
尚、本実施形態では、ティース３の一端部３ａから他端部３ｂまで一連の溝部４を形成する場合を例示しているが、溝部４は、必ずしも一端部３ａから他端部３ｂまで一連で形成されていなくてもよく、途中で切れていてもよい。
【００１６】
次に、本発明の一実施形態に係る取付け構造を有するインシュレータについて、図２、図３を用いて説明をする。
本発明の一実施形態に係る取付け構造を有するインシュレータ１０は、図２に示す第一の部材たる第一インシュレータ１１と、図３に示す第二の部材たる第二インシュレータ１２によって構成される絶縁体であり、熱硬化性樹脂等を用いて成形して作成される部材である。
【００１７】
第一インシュレータ１１は、本実施形態においては、図１に示すティース３の一端部３ａに嵌装される部材であり、略Ｕ字状の部位である嵌装部１１ａを備えている。
また、嵌装部１１ａの内側には、爪部１１ｂ・１１ｂが形成されている。
爪部１１ｂは、溝部４の位置に対応した位置に形成されており、嵌装部１１ａをティース３の一端部３ａに嵌め合わせたときに、爪部１１ｂが溝部４に嵌合するように構成されている。
【００１８】
爪部１１ｂの形状は、該爪部１１ｂが溝部４に嵌めこまれて、溝部４に沿って押し進められる際に前方となる側に先下がりとなる傾斜部１１ｃを有しており、また、そのとき後方となる端面（後端部１１ｄと呼ぶ）が、嵌装部１１ａの内側の面に対して垂直な角度を有する構成としている。
【００１９】
第二インシュレータ１２は、本実施形態においては、図１に示すティース３の他端部３ｂ側に嵌装される部材であり、略Ｕ字状の部位である嵌装部１２ａを備えている。
また、嵌装部１２ａの内側には、爪部１２ｂ・１２ｂが形成されている。
爪部１２ｂは、溝部４の位置に対応した位置に形成されており、嵌装部１２ａをティース３の他端部３ｂに嵌め合わせたときに、爪部１２ｂが溝部４に嵌合するように構成されている。
【００２０】
爪部１２ｂの形状は、該爪部が溝部４に嵌めこまれて、溝部４に沿って押し進められる際に前方となる側に先下がりとなる傾斜部１２ｃを有しており、また、そのとき後方となる側の端面（後端部１２ｄと呼ぶ）が、嵌装部１２ａの内側の面に対して垂直な角度を有する構成としている。
【００２１】
そして、溝部４に形成された２箇所の突起部４ａ・４ａのうち、一端部３ａに近い方の突起部４ａは、第一インシュレータ１１の爪部１１ｂに対応しており、他端部３ｂに近い方の突起部４ａは、第二インシュレータ１２の爪部１２ｂに対応している。
【００２２】
次に、本発明の一実施形態に係るインシュレータの取付け構造を有するティースに対する、同取付け構造を有するインシュレータの取付け状況について、図４、図５を用いて説明をする。
図４に示す如く、まず、ティース３の一端部３ａに第一インシュレータ１１を取り付ける際には、爪部１１ｂ・１１ｂの位置を溝部４・４の位置に合わせつつ、ティース３に嵌装部１１ａを嵌め合わせていく。
すると、爪部１１ｂ・１１ｂは、溝部４・４に嵌合するとともに、溝部４・４に沿って下方に進み、やがて、溝部４・４の途中に形成された突起部４ａ・４ａに突き当たる。
【００２３】
第一インシュレータ１１は、可撓性を有する素材により構成されているため、第一インシュレータ１１は押し込まれたときに爪部に１２ｂに作用する応力によって撓み、また、爪部１１ｂは傾斜部１１ｃを有しているため、突起部４ａを容易に乗り越えて、爪部１１ｂをその先の溝部４に押し進めることができる。
【００２４】
そして第一インシュレータ１１は、嵌装部１１ａがティース３の一端部３ａに所定の深さで嵌め込まれることで、爪部１１ｂが突起部４ａを乗り越えて、突起部４ａより先の図４中に示す位置Ｐに位置するように構成されている。
【００２５】
このような状況で第一インシュレータ１１をティース３から引き抜こうとすると、爪部１１ｂが突起部４ａに係止される。このとき突起部４ａに当接する爪部１１ｂの後端部１１ｄは、嵌装部１１ａの面から垂直に立設されているため、爪部１１ｂが突起部４ａを乗り越えにくい。このため、爪部１１ｂが突起部４ａを乗り越えた後は、ティース３から第一インシュレータ１１を容易に引き抜くことができない。
即ち、このようなティース３から第一インシュレータ１１を抜き取る方向に対して、突起部４ａで爪部１１ｂを係止する構成により、図５に示すように、第一インシュレータ１１をティース３の一端部３ａに、確実に固定することができる。
【００２６】
また、図４に示す如く、ティース３の他端部３ｂに第二インシュレータ１２を取り付ける際には、爪部１２ｂ・１２ｂの位置を溝部４・４の位置に合わせつつ、ティース３に嵌装部１２ａを嵌め合わせていく。
すると、爪部１２ｂ・１２ｂは、溝部４・４に嵌合するとともに溝部４・４に沿って下方に進み、やがて、溝部４・４の途中に形成された突起部４ａ・４ａに突き当たる。
【００２７】
第二インシュレータ１２は、可撓性を有する素材により構成されているため、第二インシュレータ１２は押し込まれたときに爪部に１２ｂに作用する応力によって撓み、また、爪部１２ｂは傾斜部１２ｃを有しているため、突起部４ａを容易に乗り越えて、爪部１２ｂをその先の溝部４に押し進めることができる。
【００２８】
第二インシュレータ１２は、可撓性を有する素材により構成されているため、第二インシュレータ１２を押し込むことによって、突起部４ａを乗り越えて、爪部１２ｂをその先の溝部４に押し進めることができる。
【００２９】
そして第二インシュレータ１２は、嵌装部１２ａがティース３の他端部３ｂに所定の深さで嵌め込まれることで、爪部１２ｂが突起部４ａを乗り越えて、突起部４ａより先の図４中に示す位置Ｑに位置するように構成されている。
【００３０】
このような状況で第二インシュレータ１２をティース３から引き抜こうとすると、爪部１２ｂが突起部４ａに係止される。このとき突起部４ａに当接する爪部１２ｂの後端部１２ｄは、嵌装部１２ａの面から垂直に立設されているため、爪部１２ｂが突起部４ａを乗り越えにくい。このため、爪部１２ｂが突起部４ａを乗り越えた後は、ティース３から第二インシュレータ１２を容易に引き抜くことができない。
即ち、このようなティース３から第二インシュレータ１２を抜き取る方向に対して、突起部４ａで爪部１２ｂを係止する構成により、図５に示すように、第二インシュレータ１２をティース３の他端部３ｂに、確実に固定することができる。
尚、本実施形態では、各爪部１１ｂ・１２ｂにおける後端部１１ｄ・１２ｄが、嵌装部１１ａ・１２ａから垂直に立設される構成を例示しているが、後端部１１ｄ・１２ｄの角度はこれに限定されず、例えば、返しを設ける構成としてもよい。
【００３１】
このように、本発明の一実施形態に係るインシュレータの取付け構造では、ステータコア１に設けた溝部４および突起部４ａと、インシュレータ１０に設けた爪部１１ｂ・１２ｂと、によって、ティース３にインシュレータ１０（第一および第二の各インシュレータ１１・１２）を固定する構造としている。
このような構造では、ティース３の端面から突起部４ａまでの距離を所定の距離に保ってさえいれば、ステータコア１を構成する電磁鋼板の枚数が変化したとしても、同じインシュレータ１０を用いることができ、インシュレータを作り変える手間が掛からない。
また、本発明の一実施形態に係るインシュレータの取付け構造では、分割した各インシュレータ１１・１２同士を溶着等しなくても、インシュレータ１０をティース３の周囲に容易に固定することができ、作業性の向上にも寄与するものとなっている。
【００３２】
即ち、本発明の一実施形態に係るインシュレータの取付け構造は、複数の電磁鋼板を積層して構成され、平面視において略円環状のヨーク２と、該ヨーク２から径方向内側に向けて突出するティース３・３・・・とを備えるステータコア１に対する、少なくともティース３の周囲に配置されるインシュレータ１０の取付け構造であって、ティース３は、ステータコア１の軸心に平行な二つの側面３ｃ・３ｄに、ステータコア１の軸心方向に平行に形成される溝部４・４と、溝部４に形成される突起部４ａ・４ａとを有し、インシュレータ１０は、ステータコア１の一側の端部からティース３に嵌装される第一の部材たる第一インシュレータ１１と、ステータコア１の他側の端部からティース３に貫装される第二の部材たる第二インシュレータとを有し、第一および第二の各インシュレータ１１・１２は、溝部４に嵌合可能な爪部１１ｂ・１２ｂを有し、第一および第二の各インシュレータ１１・１２をティース３に嵌装させるのに際し、爪部１１ｂ・１２ｂを溝部４に嵌合させるとともに、爪部１１ｂ・１２ｂが突起部４ａを乗り越える位置まで第一および第二の各インシュレータ１１・１２をティース３・３・・・に差し込んで、ティース３から第一および第二の各インシュレータ１１・１２を抜き取る方向に対して、突起部４ａで爪部１１ｂ・１２ｂを係止するものである。
【００３３】
このような構成により、ステータコア１を構成する電磁鋼板の積層枚数が変化する場合でも、１種類のインシュレータ１０（第一および第二の各インシュレータ１１・１２）で対応することができる。
【符号の説明】
【００３４】
１      ステータコア
２      ヨーク
３      ティース
４      溝部
４ａ    突起部
１０    インシュレータ
１１    第一インシュレータ
１１ａ  嵌合部
１１ｂ  爪部
１２    第二インシュレータ
１２ａ  嵌合部
１２ｂ  爪部
【図１】
2015136241.tif 000003
【図２】
2015136241.tif 000004
【図３】
2015136241.tif 000005
【図４】
2015136241.tif 000006
【図５】
2015136241.tif 000007